(57)【要約】【課題】サーバーの一部エリアを貸し出すレンタルサーバーに情報を登録し、登録した情報を他者に伝達する場合に、自ら時間を作って情報を伝達していた。【解決手段】レンタルサーバーに登録した情報が指定した情報が所定の状態であるときは他者にダウンロードを許可し、その指定した情報が秘密情報であるときまたは第三者と共有の情報であるときは、レンタルサーバーに登録したユーザーに再度、他者に情報を伝達してよいかどうかをメールで問い合わせて許可があれば伝達する。【選択図】図１
2009098995.tif 000002
【特許請求の範囲】
【請求項１】
サーバーのユーザー領域を複数のユーザーで使用するレンタルサーバーと、ユーザー端末と、前記レンタルサーバーを管理する管理者端末とからなるレンタルサーバーシステムで、前記ユーザー端末より前記レンタルサーバーのレンタルされたユーザー領域に情報を格納する手段と、前記ユーザー端末が他者端末が前記情報の内、指定した指定情報のダウンロードを許可する許可情報と前記他者端末のＩＤ乃至はパスワードとを前記管理者端末に伝達する手段と、前記管理者端末が前記他者端末のＩＤ乃至はパスワードと前記指定情報を記憶する手段と、前記他者端末が前記管理者端末に前記指定情報のダウンロードを希望する旨を伝達した時に、前記管理者端末が前記他者端末より入力されたＩＤ乃至はパスワードを前もって記憶された前記他者端末のＩＤ乃至はパスワードとを照合する手段と、前記照合手段により両ＩＤ乃至はパスワードが所定の関係であり、前記指定情報が所定の状態であるときは、前記指定情報を前記他者端末にダウンロードするよう制御する制御手段とを備えたレンタルサーバーシステム。
【請求項２】
前記指定情報が秘密情報であると認定されたときは、前記管理者端末は前記ユーザー端末に秘密情報である旨を伝達し、再度ユーザー端末よりダウンロード許可情報を受信してダウンロードを行なうよう制御する手段を備えた請求項１に記載のレンタルサーバーシステム。
【請求項３】
前記指定情報が保存期間を越えていると認定されたときは管理者端末はその旨を前記ユーザー端末乃至は前記他者端末に伝達するよう制御する手段を備えた請求項１に記載のレンタルサーバーシステム。
【請求項４】
前記指定情報が第三者との共有情報であると認定されたときは、前記管理者端末は前記ユーザー端末に第三者との共有情報である旨を伝達し、再度ユーザー端末よりダウンロード許可情報を受信してダウンロードを行なうよう制御する手段を備えた請求項１に記載のレンタルサーバーシステム。
【発明の詳細な説明】
【技術分野】
【０００１】
本発明は、ディスクサブシステムに代表されるサーバーをレンタルし、レンタルサーバーのユーザー領域を複数のユーザーで使用するレンタルサーバーシステムに関する。
【背景技術】
【０００２】
インターネットの爆発的な普及に代表されるように、近年のコンピュータ環境では、ユーザーの使用する情報量が急激に増大している。この結果、記憶装置に格納するデータ量も増大し、日々増大するデータの管理コストも増大の一途をたどり、この管理コストの削減が重要課題となっている。
【０００３】
このような背景で、特許文献１に示すようにディスクサブシステムに代表されるサーバーの新しい利用形態としてサーバーサービスプロバイダが、サーバーをレンタルして使用者に提供するサービスが注目されている。従来ユーザーは、データを格納するサーバーを購入するなどして自前で用意する必要があった。そのような場合には、サーバーの管理もユーザーがおこなう必要がある。これに対して、サーバーサービスプロバイダが提供するサーバーのレンタルサービスを利用する場合には、ユーザー自らサーバーを用意するのではなくレンタルサーバーを利用するので自らのハードディスクにデータを格納しているデータ量を制限している場合が多い。
【０００４】
【特許文献１】特開２００２−７３８４０号公報
【０００５】
そこで、レンタルサーバーに格納したデータを他人が使用を希望する場合には、これまでは本人がそのデータをダウンロードして、そのデータを欲する他人のハードディスクにアップロードしていた。しかしながら、レンタルサーバーにデータを格納し、そのデータを使用したいという知人に対してユーザーはパソコンの傍にいないとか、アクセスする時間がないなどの理由で即時にそのユーザーもすぐにはダウンロードできない場合があり、ダウンロードを希望する人に対してその要望に応えられない場合があった。
【発明の開示】
【発明が解決しようとする課題】
【０００６】
個人が自分のハードディスクにデータを格納している場合には他者とデータのやりとりは自らの責任に基づいて行なっている。しかしながら上述のレンタルサーバーにデータを格納している場合に他者とのデータのやりとりについてレンタルサーバーを管理している管理者からみると、データを希望する他者がデータを所有するユーザーにとって信頼できるものか不確かであり、そのことについて何も言及されていなかった。
【課題を解決するための手段】
【０００７】
本発明の請求項１は、サーバーのユーザー領域を複数のユーザーで使用するレンタルサーバーと、ユーザー端末と、前記レンタルサーバーを管理する管理者端末とからなるレンタルサーバーシステムで、前記ユーザー端末より前記レンタルサーバーのレンタルされたユーザー領域に情報を格納する手段と、前記ユーザー端末が他者端末が前記情報の内、指定した指定情報のダウンロードを許可する許可情報と前記他者端末のＩＤ乃至はパスワードとを前記管理者端末に伝達する手段と、前記管理者端末が前記他者端末のＩＤ乃至はパスワードと前記指定情報を記憶する手段と、前記他者端末が前記管理者端末に前記指定情報のダウンロードを希望する旨を伝達した時に、前記管理者端末が前記他者端末より入力されたＩＤ乃至はパスワードを前もって記憶された前記他者端末のＩＤ乃至はパスワードとを照合する手段と、前記照合手段により両ＩＤ乃至はパスワードが所定の関係であり、前記指定情報が所定の状態であるときは、前記指定情報を前記他者端末にダウンロードするよう制御する制御手段とを備えたレンタルサーバーシステムを提供するものである。
【０００８】
本発明の請求項２は、前記指定情報が秘密情報であると認定されたときは、前記管理者端末は前記ユーザー端末に秘密情報である旨を伝達し、再度ユーザー端末よりダウンロード許可情報を受信してダウンロードを行なうよう制御する手段を備えた請求項１に記載のレンタルサーバーシステムを提供することにある。
【０００９】
本発明の請求項３は、前記指定情報が保存期間を越えていると認定されたときは管理者端末はその旨を前記ユーザー端末乃至は前記他者端末に伝達するよう制御する手段を備えた請求項１に記載のレンタルサーバーシステムを提供することにある。
【００１０】
本発明の請求項４は、前記指定情報が第三者との共有情報であると認定されたときは、前記管理者端末は前記ユーザー端末に第三者との共有情報である旨を伝達し、再度ユーザー端末よりダウンロード許可情報を受信してダウンロードを行なうよう制御する手段を備えた請求項１に記載のレンタルサーバーシステムを提供することにある。
【発明の効果】
【００１１】
上述したように本発明のレンタルサーバーシステムにおいてユーザー端末の自らのハードディスクになくても情報を欲する他者端末がレンタルサーバーを介してユーザー端末の情報を入手できる。しかし、秘密情報、第三者との共有の情報である場合は再度、他者端末にダウンロードしてよいかどうかを問い合わせる。また保管期間切れの場合はその旨をユーザー端末乃至は他者端末に伝達する。
【発明を実施するための最良の形態】
【００１２】
以下、本発明の実施の形態を図１〜図５に基づいて説明する。
【００１３】
図１は本発明のレンタルサーバーシステムの会員登録を行い、情報をレンタルサーバーにアップロードする図を示すブロック図を示す。
１はユーザー端末、２はインターネット、３は顧客にその少なくとも一部のエリアを貸し出すレンタルサーバー、４はレンタルサーバー３の管理者端末、５はユーザー端末に貸し出すレンタルエリアを示す。ユーザー端末１より管理者端末４に対してレンタルサーバーのレンタルを希望し、電子メールで伝達する。
【００１４】
図２はそのユーザーの会員登録と情報のアップロードをフローチャートで示す。Ｓ１でユーザー端末が会員登録希望のメールを管理者端末に送付し、Ｓ２で管理者端末より登録許可のメールをユーザー端末に送付し、Ｓ３でユーザー端末よりＩＤとパスワード、サーバーに格納する情報を情報ＮＯ．と共にサーバーにアップロードする。
【００１５】
図３は、アップロードする情報の一例を示す。その情報には表１で示すように、秘密情報か否か、第三者との共有情報か否かについて情報の識別記号を付与する。また、データ保有期間（Ｔ）について実数値で表示する。図３は秘密情報であり、第三者との共有でなく、サーバーのデータ保有期間は２００７年１２月までということを示している。
【表１】
2009098995.tif 000003
【００１６】
図４は他者端末がユーザー端末の情報のダウンロードを行なうときのブロック図を示す。ユーザー端末１に対して他者端末６がユーザー端末の情報のダウンロードを希望し、ユーザー端末１はインターネット２を介してレンタルサーバー３の管理者端末４にユーザー端末１のレンタルサーバーのレンタルエリア５にある情報を他者端末６にダウンロードするように電子メールで依頼する。７は秘密情報か、共有情報か、サーバー保有期限かどうかでダウンロードするかどうかを制御する制御手段を示す。
【００１７】
図５は、図４のブロック図に対応したフローチャートを示す。Ｓ１で他者端末がユーザー端末の情報のダウンロードを希望し、Ｓ２でユーザー端末が了解する。Ｓ３で管理者端末に情報ＮＯ．とダウンロードを希望する他者端末のＩＤとパスワードを通知する。Ｓ４で指定した情報ＮＯ．が存在するか、またはサーバーでの保有期限内かどうかを判別し、Ｓ５で指定した情報ＮＯ．の存在しない、または保有期限外であるときはユーザー端末、他者端末に通知する。もしも指定した情報ＮＯ．の情報があるか、保有期限内である場合はＳ６に進み、秘密情報乃至は第三者との共有情報であるかどうかを判別し、Ｓ７で秘密情報乃至は第三者との共有情報の場合は、ダウンロード可否をもう一度ユーザー端末にメールで問い合わせし、Ｓ８で示すようにダウンロード不可の場合は他者端末にその旨を通知する。秘密情報でも共有情報でもなく、また問い合わせの結果、ダウンロードしてもよい場合は管理者端末がダウンロードを行なう。
【図面の簡単な説明】
【００１８】
【図１】本発明のレンタルサーバーシステムに登録から情報をアップロードまでを示すブロック図
【図２】図１に関するフローチャート
【図３】情報の一例
【図４】本発明のレンタルサーバーシステムで情報を他者端末にダウンロードを制御するブロック図
【図５】図４に関するフローチャート
【符号の説明】
【００１９】
１      ユーザー端末
２      インターネット
３      サーバー
４      管理者端末
５      レンタルエリア
６      他者端末
７      制御手段
【図１】
2009098995.tif 000004
【図２】
2009098995.tif 000005
【図３】
2009098995.tif 000006
【図４】
2009098995.tif 000007
【図５】
2009098995.tif 000008